(57)【要約】【課題】再生表示した所望の画像部分を拡大表示し、その画像部分に相当する画像データエリアを切取って記録媒体に新たに記録する画像切取り方法の提供。【解決手段】再生画像を液晶ディスプレイ上に表示し（Ｓ１）、画像が切取り対象であればＳ３に移行し、そうでなければ次の画像を表示する（Ｓ２）。切取り部分指定枠を表示し（Ｓ３）、切取り部分指定枠の内に所望の画像部分が含まれていればＳ５に移行し、そうでなければ指定枠内に所望の部分が含まれるように指定枠を移動する（Ｓ４）。指定枠の内に含まれている場合にはその部分を液晶ディスプレイの画面に拡大表示する（Ｓ５）。次に、拡大表示された部分画像を切取るか否かの入力をユーザーに促すメッセージを表示し（Ｓ６）、切取り指示の場合には、その部分画像に相当する画像データを記録媒体に記録すると共に元の画像データとの関係を示す必要情報を参照リストに登録する（Ｓ７）。【選択図】      図８
2006262496.tif 000002
【特許請求の範囲】
【請求項１】
記録媒体に画像データを記録し、前記記録媒体に記録された画像データを再生して画像表示するカメラ装置において、
記録媒体に記録された画像データを再生して表示する手段と、切取り対象の画像を選択する手段と、前記切取り対象の画像の所望の部分を切取り対象部分として指定する手段と、前記指定された切取り対象部分に対応する部分画像データを記録媒体に記録する手段を有することを特徴とする画像切取り装置。
【請求項２】
前記切取り対象部分を拡大して表示する手段を含むことを特徴とする請求項１記載の画像切取り装置。
【請求項３】
記録媒体に画像データを記録し、前記記録媒体に記録された画像データを再生して画像表示するカメラ装置において、
表示部に再生／表示された画像の所望の部分を切取り対象部分として指定する切取り部分指定手段と、切取り対象部分を拡大して表示する切取り部分拡大手段と、前記指定された切取り対象部分に対応する部分画像データを記録媒体に記録する切取り部分記録手段を有することを特徴とするカメラ装置。
【請求項４】
前記切取り部分記録手段が、更に、切取り対象である元画像と該元画像から切取った部分画像を関係付ける画像関連情報を前記記録媒体上に設けられた画像情報参照手段に登録することを特徴とする請求項３記載のカメラ装置。
【請求項５】
更に、記録媒体に記録された画像データを再生して表示部に表示する再生／表示手段が、前記画像情報参照手段に登録された前記画像関連情報に基づいて記録媒体から再生／表示される部分画像を該部分画像の元画像の次に表示することを特徴とする請求項４記載のカメラ装置。
【発明の詳細な説明】
【技術分野】
【０００１】
本発明はデジタルカメラ等のカメラ装置に関し、カメラ装置に表示された画像の処理技術に関する。
【背景技術】
【０００２】
デジタルカメラで撮像された被写体像は、ＣＣＤによる光電変換、信号変換及び信号処理等を経て画像データとして記憶媒体に記録される。また、デジタルカメラの多くは液晶ディスプレイ等からなる表示装置を備えており、このようなデジタルカメラでは、使用者は撮像の際にそれをファインダー代りに用いることもできるし、また、撮像後に記録媒体から読み出した再生画像を表示することもできる。
なお、デジタルカメラの中には液晶ディスプレイに表示された画像の一部を拡大して表示するズームアップ機能を有するものがある。
【発明の開示】
【発明が解決しようとする課題】
【０００３】
従来のデジタルカメラではズーム機能を用いることなく撮像を行なった場合に、１フレーム分の画像のうち実際には限られた部分だけあればよくても、必要な部分だけの画像を切取って保存することはできなかった。
そのために、必要な部分の拡大画像をみるためには液晶ディスプレイに再生表示した画像を拡大して表示するか、パーソナルコンピュータ（以下、パソコン）に画像データを取込んで、画像処理ソフトを用いて必要な部分の切取りを行なって切取った画像のデータをデジタルカメラ側に移す必要があった。
【０００４】
本発明は上記従来の技術の問題点を解決するためになされたものであり、カメラ装置で再生表示した所望の画像部分を拡大表示し、その画像部分に相当する画像データエリアを切取って記録媒体に新たに記録する画像切取り方法および画像切取り機能付カメラ装置の提供を目的とする。
【課題を解決するための手段】
【０００５】
上記の目的を達成するために本発明の画像切取り装置は、記録媒体に記録された画像データを再生して表示する手段と、切取り対象の画像を選択する手段と、切取り対象の画像の所望の部分を切取り対象部分として指定する手段と、指定された切取り対象部分に対応する部分画像データを記録媒体に記録する手段を有することを特徴とする。なお、前記切取り対象部分を拡大して表示する手段を含むように構成してもよい。
【０００６】
また、本発明のカメラ装置は、表示部に再生／表示された画像の所望の部分を切取り対象部分として指定する切取り部分指定手段と、切取り対象部分を拡大して表示する切取り部分拡大手段と、指定された切取り対象部分に対応する部分画像データを記録媒体に記録する切取り部分記録手段を有することを特徴とする。
【０００７】
また、上記カメラ装置において、切取り部分記録手段が、切取り対象である元画像と該元画像から切取った部分画像を関係付ける画像関連情報を記録媒体上に設けられた画像情報参照手段に登録するよう構成でき、この場合、更に、記録媒体に記録された画像データを再生して表示部に表示する再生／表示手段が、画像情報参照手段に登録された画像関連情報に基づいて記録媒体から再生／表示される部分画像を該部分画像の元画像の次に表示するように構成することができる。
【発明の効果】
【０００８】
以上説明したように本発明によれば、カメラ装置内で画像処理ソフトを用いることなく必要な部分だけの画像を切取って記録媒体に保存することができるので、必要な画像の記録容量が少なくてすみ、また、再生表示の際に画像の必要な部分をその都度拡大表示する必要がなくなる。さらに、外部装置への画像データ出力（送信）の際に、必要な部分画像だけを出力できるので、出力時間の短縮および外部装置側での不要な画像に係わる処理を省略できる。
【発明を実施するための最良の形態】
【０００９】
図１は本発明を適用したデジタルカメラの一実施例の斜視図（背面図）である。
デジタルカメラ１００の上面には、処理モードを切換える処理モード切換えスイッチ（スライドスイッチ）３１と、機能選択用ボタン３２〜３６と、デジタルカメラ１００を起動するメインスイッチ１０１、シャッターボタン１０２および出力用ボタン１０３が設けられている。
背部には、記録モードと再生モードを切換える記録／再生モード切換えスイッチ１０４と、光学ファインダー１０５と、画像表示用の液晶ディスプレイ４３およびカーソル移動用十字キー３７が設けられている。
また、図示しない前面（正面）には、撮像レンズ部およびファインダー部が設けられている。
【００１０】
図２は図１のデジタルカメラ１００の回路構成例を示すブロック図であり、図２（ａ）で、デジタルカメラ１００は、画像データ入力系１０、制御部２０、操作部３０、表示部４０、記録部５０およびインターフェイス８１を有している。
画像データ入力系１０は、光学系１１，信号変換部１２，信号処理部１３，ＤＲＡＭ（ダイナミックメモリー）１４を有している。
光学系１１は、撮像レンズおよび絞り等の光学系機構１１を含み、被写体からの光を後段の信号変換部１２のＣＣＤ上に結像させる。
信号変換部１２は、ＣＣＤ，Ａ／Ｄ変換部およびＣＣＤ駆動信号生成回路を含み、前段の光学系１１を介してＣＣＤに結像した画像を電気信号に変換すると共にデジタルデータ（以下、画像データ）に変換してＤＲＡＭ１４に一時的に記憶させる。
信号処理部１３は、画像データをＪＰＥＧ方式等の圧縮方式により圧縮し、また、圧縮された画像データに伸張処理を施す。また、信号処理部１３はＤＲＡＭ１４からの画像データ或いはフラッシュメモリー５１から読み出した画像データに伸張処理を施した後、ＶＲＡＭ（ビデオＲＡＭ）５１にイメージ展開する。
【００１１】
制御部２０は図２（ｂ）に示すように、ＣＰＵ２１、ＲＡＭ２２、及びＲＯＭ２３を有している。
ＣＰＵ２１は、上述の各回路および図示しない電源切換えスイッチ等にバスラインを介して接続し、ＲＯＭ２３に格納されている制御プログラムにより画像処理装置１００全体の制御を行なうと共に、操作部４０からの状態信号に対応してデジタルカメラの各機能の実行制御、例えば、ＲＯＭ２３内に格納された画像切取り手段１５０（図４）の実行による画像切取りモード処理の制御、を行なう。
【００１２】
ＲＡＭ２２はデータ或いは処理結果の一時記憶および中間作業領域等に用いられる。
ＲＯＭ２３は上述の制御プログラムと画像切取り手段１１０および画像処理装置のその他の各機能を実行させるためのプログラムを記録する記録媒体であり、ＰＲＯＭ、ＦＲＯＭ（フラッシュＲＯＭ）等が用いられる。なお、これらプログラムをＲＯＭ２３以外のリムーバブルな記録媒体（例えば、フラッシュメモリー５１）に格納するように構成することもできる。
【００１３】
操作部３０は、図に示した処理モード切換えスイッチ３１、機能選択用ボタン３２〜３６、カーソル移動用十字キー３７、メインスイッチ１０１、シャッターボタン１０２、出力用ボタン１０３および記録／再生モード切換えスイッチ１０４を構成部分とし、これらのキー或いはボタンが操作されると状態信号がＣＰＵ２１に送出される。
【００１４】
表示部４０は、ＶＲＡＭ４１，ＶＲＡＭ４２，および液晶ディスプレイ４３から構成されている。なお、ＶＲＡＭ４１およびＶＲＡＭ４２は画像表示用のイメージ（画像イメージ）をビットマップで展開する画像表示用メモリーであり、液晶ディスプレイ（ＬＣＤ）４３の電源がオン（ＯＮ）であれば、ＶＲＡＭ４１およびＶＲＡＭ４２上の画像データが液晶ディスプレイ４３に画像表示される。
なお、ＶＲＡＭ４２には画像データのほか、制御部２０を介してメニューデータやメッセージデータがイメージ展開され、これらを液晶ディスプレイ４３に表示する場合がある。さらに、ＶＲＡＭ４１上の画像イメージとＶＲＡＭ４２上のイメージを液晶ディスプレイ４３に合成（重畳）して表示できる。
【００１５】
記録部５０は記録媒体（図２ではフラッシュメモリー）５１を収容し、ＣＰＵ２１の制御によりフラッシュメモリー５１上に画像データ入力系１０からの画像データを記録すると共に当該画像と切出した画像を関連づけるポインタを有する参照リスト（図６、図７）を記録し、また、フラッシュメモリー５１から画像データおよび参照リストを読み出してＲＡＭ２２（或いは、ＤＲＡＭ１４）に転送する。なお、記録部５０によるデータの転送はＤＭＡ（ダイレクトメモリーアクセス方式）によって行なわれるよう構成することが望ましい。また、参照リストはフラッシュメモリー５１の先頭に格納されることが望ましい。
フラッシュメモリー５１は画像データの記録媒体として圧縮された画像データと必要参照事項を記録する参照リストを記録する（図６，図７）。
【００１６】
インターフェイス８１はデジタルカメラ１００と、プリンタやパソコン、その他の画像処理装置、ＣＤ−ＲＯＭ等の外部機器との間のデータの授受を行なう。フラッシュメモリー５１に記録された画像データの外部機器への送信（出力）は、出力ボタン１０３が押し下げられた場合に図示しない出力手段（プログラム）に基づいて行なわれる。
【００１７】
＜処理モード＞
図３はデジタルカメラ１００の処理モードの構成例を示す説明図であり、デジタルカメラ１００の処理モードは撮像、再生、記録および外部機器への出力（送信）モードからなる通常処理モードと、日付変更等の特殊機能を実行する特殊処理モードを有する。また、再生モードは画像選択モードおよび画像切取りモードを含む。
【００１８】
＜画像切取り手段＞
（イ）  画像切取り手段の構成および機能
画像切取り手段１１０は図４に示すように、再生モードで液晶ディスプレイ４３に表示された画像のうち、所望の画像について所望の部分を切取り記録媒体（実施例ではフラッシュメモリー５１）に記録する。なお、この場合、切取る画像を液晶ディスプレイ４３に拡大表示できる。
【００１９】
画像切取り手段１１０は、切取り部分指定手段１１１と、切取り部分拡大表示手段１１２と、切取り部分記録手段１１３を有している。
切取り部分指定手段１１１は、液晶ディスプレイ４３に再生表示された画像のうち、ユーザーが必要とする部分（実施例では矩形部分）を指定する手段であり、図９（ａ）に示すような破線枠或いは実線枠若しくは四隅を明示する鍵形等を表示し十字キー３７等の枠移動手段でそれらの枠で必要とする部分を囲んで指定する。この場合、枠の大きさを拡大したり縮小できるように切取り部分指定手段１１１が指定枠拡大／縮小手段（図示せず）を含むように構成してもよい。
【００２０】
切取り部分拡大表示手段１１２は、指定枠で指定された部分を液晶ディスプレイ４３の画面に拡大して表示する。拡大表示された部分画像がユーザーが真に所望する画像部分と少しずれていた場合には、再度、元の画像を表示して切取り部分指定手段１１１により指定された部分を拡大表示するようにしてもよいし、拡大表示された部分画像を前後左右に微小移動して真に所望する部分画像の拡大画像を表示できるようにすることもできる。
【００２１】
切取り部分記録手段１１３は、ユーザが操作部３０から記録指示を行なう（実施例ではシャッターボタン１０２の押し下げを行なう）と液晶ディスプレイ４３に拡大表示されている部分画像データを元の画像データから切取って、フラッシュメモリー５１に格記録する（図５，図１０）。また、記録の際、元の画像データとの関係を示す参照リストに必要情報を登録する（図６）。
【００２２】
また、後述するように部分画像データはフラッシュメモリー５１に物理的に記録してもよいが、参照リスト上に必要情報を登録することによりフラッシュメモリー５１に物理的に記録せずに事実上部分画像を記録したと同様の効果を与えるように切取り部分記録手段１１３を構成することもできる（図７）。
【００２３】
なお、上記説明では画像切取り手段１１０を画面上で切取り部分を枠で指定したが、指定枠による指定に限られず、例えば、カーソルの焦点を必要部分の中心附近に近づけ表示キーを押すと切取り部分拡大表示手段１１２に制御を移して、その点を中心にした矩形部分を液晶ディスプレイ４３の画面一杯に表示し、カーソルの移動により前後左右に表示部分を移動させて部分画像を確定した後、フラッシュメモリー５１に記録するように構成してもよい。
【００２４】
（ロ）  記録媒体上の元画像と部分画像の関係
図５は、元画像（撮像によって得られた画像）データと画像切取り部分記録手段１１３によって記録媒体に記録された部分画像（切取られた画像）データとの関係を示す説明図であり、フラッシュメモリー５１には記録された画像データの格納位置情報等を登録する参照リスト５１１（図６或いは図７）と、撮像モードで得られた元画像データ５１２−１，５１２−２，５１２−３，・・・，５１２−ｎと、画像切取りモードで画像切取り手段１１０により切り取られた部分画像データ５１３−１，５１３−２，５１３−３，・・・，５１３−ｍが記録されている。なお、実施例では参照リスト５１１はフラッシュメモリー５１の先頭位置に格納され、部分画像データは物理的には元画像データの後に記録されるが、論理的にはある元画像の部分画像データはその元画像データの次に位置するよう参照リストにより関係付けられている。すなわち、部分画像データを記録したフラッシュメモリー５１に記録されている画像データを再生／表示すると元画像の次にその部分画像が表示される。
【００２５】
なお、部分画像は複数個作成することができ（図６，図７）、これにより、例えば、卒業写真のような画像から、各個人の像を中心とした部分画像を抽出するようなことができる。
また、記録される部分画像のピクセル数は元画像のピクセル数より少なく、元画像と部分画像の面積比率に比例する（図１０）。
また、元画像の画像サイズをＳＶＧＡ（画像サイズ規格（１０２４×７６８ピクセル））とし、画像切取り手段１１０によって切取られる部分画像の画像サイズをＶＧＡ（画像サイズ規格（６４０×４８０ピクセル））と固定してもよく、この場合、切取られた部分画像のサイズ（ピクセル数）は１／２．５６となり約４０％となって、記録媒体に対する容量効率がよい。
【００２６】
図６は参照リストの構成例を示す図であり、参照リスト５１１はフラッシュメモリー５１に記録される画像（元画像および部分画像）の物理的順序を示す物理番号５１１１、表示される画像の順序を示す論理番号５１１２、画像サイズ５１１３（図６では、規格：ＸＧＡ＝４、ＳＶＧＡ＝３、ＶＧＡ＝２、ＱＶＧＡ＝１とコード付けしている）、画像の格納番地５１１４（先頭番地：図６では説明上元画像については１００刻みに、部分画像については５０刻みとして示している）、元画像／部分画像の区分５１１５（元画像＝Ａ；部分画像＝Ｂ）、次に表示される画像の物理番号である次画像番号５１１６（参照リスト５１１上の物理番号）および前の画像を表示する場合に用いる前画像番号５１１７からなる画像毎のレコードから構成され、これらは画像の記録時に切取り部分記録手段１１３によって登録される。
【００２７】
なお、論理番号１１１２は元画像については１０刻みに、部分画像については対応の元画像毎に作成順に１桁の数字を登録しているが、これにより表示時に元画像と部分画像の関係を明示するために部分画像に枝番をふることが容易になる。
【００２８】
図６で、画像データはフラッシュメモリー５１上では物理番号１１１の順に記録されているが、表示時には論理番号の順に表示できる。
例えば、再生モードで物理番号が‘１’の元画像（論理番号＝‘１０’）を表示してから更に表示ボタン（＋）を押すと次の画像として次画像番号（＝物理番号）が‘ｎ＋１’の部分画像（論理番号＝‘１１’）が表示される。もう一度、表示ボタン（＋）を押すと次の画像として次画像番号が‘２’の元画像（論理番号＝‘２０’）が表示される。更に、表示ボタン（＋）を押すと次の画像として次画像番号（＝物理番号）が‘３’の部分画像（論理番号＝‘３０’）が表示でき、表示ボタン（＋）を押し続けることにより次画像番号（＝物理番号）が‘ｎ＋２’の部分画像（論理番号＝‘３１’）、次画像番号（＝物理番号）が‘ｎ＋ｍ’の部分画像（論理番号＝‘３２’）、・・が表示できる。ここで、物理番号‘３’の画像は２つの部分画像（論理番号‘３１’，‘３２’）を持っていることとなる。
【００２９】
次の例として、今、物理番号‘３１’の部分画像が表示されている場合に表示ボタン（−）を押すと、前画像番号（＝物理番号）が‘３’の部分画像（論理番号＝‘３０’）が表示でき、表示を元画像に戻すことができる。すなわち、図６のように参照リスト５１１を構成すれば物理的な記録順と無関係に論理的に前後の画像（例えば、元画像と部分画像）を表示できる。また、外部機器への画像データ出力時には部分画像を元画像に続けて出力できるほか、元画像を出力しないようにすることもできる。
【００３０】
図７は参照リストの他の構成例を示す図であり、部分画像データをフラッシュメモリー５１に物理的に記録せずに事実上部分画像を記録したと同様の効果を与える場合に用いる参照リストの構成例である。
【００３１】
参照リスト５１１’はフラッシュメモリー５１に記録された画像（元画像）の物理的順序を示す物理番号５１１１、画像サイズ５１１３（図７ではＸＧＡ＝４、ＳＶＧＡ＝３、ＶＧＡ＝２、ＱＶＧＡ＝１とコード付けしている）、画像の格納番地５１１４、部分画像の数５１１７、部分画像のサイズ５１１８−１〜３および部分画像の座標５１１９−１〜３からなる画像毎のレコードから構成され、これらは画像の記録時に切取り部分記録手段１１３によって登録される。
【００３２】
なお、図７では、部分画像の数を最大３個としているがこれに限られず、また、各レコードを可変長として部分画像の数をｎ個としてもよい。また、座標（ｘ，ｙ）は部分画像の中心座標を示す。部分画像は座標（ｘ，ｙ）とサイズから決定される。なお、座標（ｘ，ｙ）を中心座標ではなく矩形（部分画像）の四隅の座標｛（ｘｉ，ｙｊ），（ｘｋ，ｙｊ），（ｘｉ，ｙｌ），（ｘｋ，ｙｌ）｝としてもよい。
【００３３】
図７で、画像データはフラッシュメモリー５１上に物理番号１１１の順に記録されているが、表示時には部分画像を元画像に続けて表示できる。また、外部機器への画像データ出力時には部分画像を元画像に続けて出力できるほか、元画像を出力しないようにすることもできる。
【００３４】
例えば、再生モードで物理番号が‘１’の元画像を表示してから表示ボタン（＋）を押すと次の画像としてサイズ‘２’、中心座標（ｘ１，ｙ１）の部分画像が表示され、更に表示ボタン（＋）を押すと次の画像として画像番号２の元画像が表示され、続けて表示ボタン（＋）を押すとサイズ‘２’、中心座標（ｘ２，ｙ２）の部分画像、サイズ‘２’、中心座標（ｘ３，ｙ３）の部分画像、・・・が表示される。
【００３５】
＜実施例＞
（イ）  モードの切換え
図１で、処理モード切換えスイッチ３１は、「ＮＯＰ」、「通常処理モード」、「特殊処理モード」の３位置にスライド可能に構成されている。スイッチ４１が「ＮＯＰ」に位置する場合はメインスイッチ１０１がオンであってもモード処理動作に移行しない（すなわち、ノーオペレーション状態である）。また、スイッチ３１はメインスイッチ１０１をオフにすると自動的に「ＮＯＰ」位置に戻る。
【００３６】
メインスイッチ１０１をオン（ＯＮ）にした後、スイッチ３１を「通常処理」側にスライドさせるとデジタルカメラ１００は通常処理モード（図４）となり、被写体の撮像、再生表示、記録等、一連の動作を行なうことができる。
記録／再生スイッチ１０４は、「ＮＯＰ」、「記録」、「再生」の３位置にスライド可能に構成されている。スイッチ１０４が「ＮＯＰ」に位置する場合はメインスイッチ１０１およびスイッチ３１がオンであっても画像切取りモードに移行しない。また、スイッチ１０４はメインスイッチ１０１をオフにするかスイッチ３１を「ＮＯＰ」にすると自動的に「ＮＯＰ」位置に戻る。
【００３７】
スイッチ３１を「通常処理」側にスライドさせ、記録／再生スイッチ１０４を再生側にスライドさせると再生／表示モードとなる。再生表示モードで機能選択ボタン（表示ボタン（＋））３２を押すと、フラッシュメモリー５１に記録されている１フレーム分の画像データが再生されて液晶ディスプレイ４３に表示される。なお、再生／表示の際、再生／表示手段（図示せず）は図６或いは図７に示したような参照リスト５１１（或いは５１１’）を参照して画像を再生する。次に、機能選択ボタン（切取り実行ボタン）３４を押すと画像切取りモードとなって制御部２０は画像切取り手段１１０の実行に制御を移す。なお、表示ボタン（＋））３２を更に押すと次の画像が表示され、表示ボタン（−）３３を押すと前の画像が表示される。
【００３８】
（ロ）  画像切取りモード下の動作
図８は画像切取りモード下のデジタルカメラ１００の動作を示すフローチャートであり、図９は画像切取りモード下の表示画像の例を示す説明図である。
先ず、再生／表示モードに切換え、再生画像を液晶ディスプレイ４３上に表示し（Ｓ１）、この画像が切取り対象である場合にはＳ３に移行し、そうでない場合には所望の画像が表示されるまで表示ボタン（＋）３２を押し、所望の画像が表示された場合には表示ボタン（＋）３２を開放して所望の画像を液晶ディスプレイ４３上に表示する（Ｓ２）。なお、上記所望の画像の選択を画像を早送りして選択する早送り手段（図示せず）によって行なうこともできる。
【００３９】
切取り実行ボタン３４を押すと画像切取りモードとなって画像切取り手段１１０の実行に制御が移され、切取り部分指定手段１１１により図９（ａ）に示すように画面９０上に切取り部分指定枠９１が表示される（Ｓ３）。
【００４０】
切取り部分指定枠９１の内に所望の画像部分が含まれている場合にはＳ５に移行し、そうでない場合には十字キ−３７を操作して切取り部分指定枠９１を前後左右に移動させて、所望の部分９３が指定枠に含まれるようにする（Ｓ４）。なお、本実施例では元画像９２の大きさをＳＶＧＡ（１０２４×７６８ピクセル）、部分画像の大きさをＶＧＡ（６４０×４８０ピクセル）とし、指定枠９１の大きさを部分画像の大きさに対応する大きさに固定したが、前述したように指定枠９１の大きさをある点を中心に拡大或いは縮小可能に構成してもよい。
【００４１】
上記Ｓ４で切取り部分指定枠９１の内に所望の画像部分が含まれている場合には切取り部分拡大表示手段１１２に制御が移され、機能選択ボタン（ズームボタン）３５を押してからシャッターボタン１０２を押すと図９（ｂ）に示すように指定枠９１で囲まれた部分画像９３が液晶ディスプレイ４３の画面に拡大表示される（Ｓ５）。
次に、実行ボタン３４を押すと図９（ｃ）に示すような拡大表示された部分画像９３を切取るか否かの入力をユーザーに促すメッセージを表示する（Ｓ６）。
【００４２】
上記Ｓ６で切取るとした場合には、シャッターボタン１０２を押すと切取り部分記録手段１１２に制御が移され、部分画像９３（図９（ｄ））に相当する画像データをフラッシュメモリー５１に記録すると共に元の画像データとの関係を示す必要情報を参照リスト５１１に登録し、Ｓ１に戻る（Ｓ７）。なお、この場合、前述したように部分画像９３に相当する画像データをフラッシュメモリー５１に記録することなしに元の画像データと部分画像データの関係を示す必要情報を参照リスト５１１’に登録して、再生／表示の際部分画像を表示できるように構成してもよい。上記Ｓ６で切取らないとした場合には、実行ボタン３３を押すとＳ１に戻る（Ｓ８）。
【００４３】
図１０は元画像データと切取られた部分画像データのサイズの関係を示す説明図であり、元の画像データ９５に対して切取った部分画像データ９６の画素数は元画像９５と部分画像９６の面積比率に比例する。例えば、ＳＶＧＡ（１０２４×７６８ピクセル）の大きさの元画像９２からＶＧＡ（６４０×４８０ピクセル）の大きさの部分画像９３を切取った場合、記録される部分画像９６のサイズは、１０２４×７６８ピクセルであり、記録する画素数は少なくなる。これにより、記録媒体に部分画像を記録する場合には部分画像の記録容量が少なくて済む。
【００４４】
以上本発明の一実施例について説明したが、本発明は上記実施例に限定されるものではなく、種々の変形実施が可能であることはいうまでもない。
【図面の簡単な説明】
【００４５】
【図１】本発明を適用したデジタルカメラの一実施例の斜視図（背面図）である。
【図２】図１のデジタルカメラの回路構成例を示すブロック図である。
【図３】デジタルカメラの処理モードの構成例を示す説明図である。
【図４】画像切取り手段の構成例を示すブロック図である。
【図５】元画像データと記録媒体に記録された部分画像（切取られた画像）データとの関係を示す説明図である。
【図６】参照リストの構成例を示す図である。
【図７】参照リストの他の構成例を示す図である。
【図８】画像切取りモード下のデジタルカメラの動作を示すフローチャートである。
【図９】画像切取りモード下の表示画像の例を示す説明図である。
【図１０】元画像データと切取られた部分画像データのサイズを示す説明図である。
【符号の説明】
【００４６】
５１  フラッシュメモリー（記録媒体）
９２  元画像（切取り対象の画像）
９３  部分画像（切取り対象部分）
１００  デジタルカメラ（カメラ装置）
１１１  切取り部分指定手段
１１２  切取り部分拡大手段
１１３  切取り部分記録手段
５１１，５１１’  参照リスト（画像情報参照手段）
【図１】
2006262496.tif 000003
【図２】
2006262496.tif 000004
【図３】
2006262496.tif 000005
【図４】
2006262496.tif 000006
【図５】
2006262496.tif 000007
【図６】
2006262496.tif 000008
【図７】
2006262496.tif 000009
【図８】
2006262496.tif 000010
【図９】
2006262496.tif 000011
【図１０】
2006262496.tif 000012
【手続補正書】
【提出日】平成18年4月20日(2006.4.20)
【手続補正１】
【補正対象書類名】特許請求の範囲
【補正対象項目名】全文
【補正方法】変更
【補正の内容】
【特許請求の範囲】
【請求項１】
画像データを記録媒体に記録する画像記録手段と、前記記録媒体に記録された画像データを再生して画像表示する画像再生手段を有する画像記録再生装置において、
前記画像再生手段により再生した画像データの一部の領域を指定する領域指定手段と、
前記画像データと、その画像データにおいて指定された前記領域を特定する領域データと、を関連付けて記録媒体に記録する領域記録手段と、
を有することを特徴とする画像記録再生装置。
【請求項２】
前記領域記録手段は、ある画像データにおいて指定された前記領域を特定する領域データを、複数領域関連付けて前記記録媒体に記録可能である
ことを特徴とする請求項１に記載の画像記録再生装置。
【請求項３】
前記領域記録手段により記録されるデータは、前記記録媒体上の１つのテーブルで管理される
ことを特徴とする請求項２に記載の画像記録再生装置。
【請求項４】
前記画像記録手段による画像データ、又は前記領域記録手段による領域データを記録した際に、この記録データを再生する順番を更に関連付けて記録する再生順番記録手段を有し、
前記画像再生手段は、この画像再生手段に応じて画像を再生する
ことを特徴とする請求項１乃至３の何れか１項に記載の画像記録再生装置。
【請求項５】
撮像した画像データを記録媒体に記録する撮像手段と、前記記録媒体に記録された画像データを再生して画像表示する画像再生手段を有するカメラ装置において、
前記画像再生手段により再生した画像データの一部の領域を指定する領域指定手段と、
前記画像データと、その画像データにおいて指定された前記領域を特定する領域データと、を関連付けて記録媒体に記録する領域記録手段と、
を有することを特徴とするカメラ装置。
【請求項６】
前記領域記録手段は、ある画像データにおいて指定された前記領域を特定する領域データを、複数領域関連付けて前記記録媒体に記録可能である
ことを特徴とする請求項１に記載のカメラ装置。
【請求項７】
前記撮像手段による画像データ、又は前記領域記録手段による領域データを記録した際に、この記録データを再生する順番を更に関連付けて記録する再生順番記録手段を有し、
前記画像再生手段は、この画像再生手段に応じて画像を再生する
ことを特徴とする請求項５乃至６の何れか１項に記載のカメラ装置。
【請求項８】
画像データを記録媒体に記録し、前記記録媒体に記録された画像データを再生して画像表示する画像記録再生装置において、
再生した画像データの一部の領域を指定する領域指定工程と、
前記画像データと、その画像データにおいて指定された前記領域を特定する領域データと、を関連付けて記録媒体に記録する領域記録工程と、
を有することを特徴とする画像記録再生方法。
【請求項９】
画像データを記録媒体に記録し、前記記録媒体に記録された画像データを再生して画像表示する画像記録再生装置において、
再生した画像データの一部の領域を指定する領域指定機能と、
前記画像データと、その画像データにおいて指定された前記領域を特定する領域データと、を関連付けて記録媒体に記録する領域記録機能と、
を有することを特徴とする画像記録再生プログラム。
【手続補正３】
【補正対象書類名】明細書
【補正対象項目名】０００５
【補正方法】変更
【補正の内容】
【０００５】
上記の目的を達成するために請求項１記載の発明は、画像データを記録媒体に記録する画像記録手段と、前記記録媒体に記録された画像データを再生して画像表示する画像再生手段を有する画像記録再生装置において、前記画像再生手段により再生した画像データの一部の領域を指定する領域指定手段と、前記画像データと、その画像データにおいて指定された前記領域を特定する領域データと、を関連付けて記録媒体に記録する領域記録手段と、を有することを特徴とする画像記録再生装置である。
【手続補正４】
【補正対象書類名】明細書
【補正対象項目名】０００６
【補正方法】変更
【補正の内容】
【０００６】
また、請求項２記載の発明は、前記領域記録手段は、ある画像データにおいて指定された前記領域を特定する領域データを、複数領域関連付けて前記記録媒体に記録可能であることを特徴とする請求項１に記載の画像記録再生装置である。
また、請求項３記載の発明は、前記領域記録手段により記録されるデータは、前記記録媒体上の１つのテーブルで管理されることを特徴とする請求項２に記載の画像記録再生装置である。
また、請求項４記載の発明は、前記画像記録手段による画像データ、又は前記領域記録手段による領域データを記録した際に、この記録データを再生する順番を更に関連付けて記録する再生順番記録手段を有し、前記画像再生手段は、この画像再生手段に応じて画像を再生することを特徴とする請求項１乃至３の何れか１項に記載の画像記録再生装置である。
【手続補正５】
【補正対象書類名】明細書
【補正対象項目名】０００７
【補正方法】変更
【補正の内容】
【０００７】
また、請求項５記載の発明は、撮像した画像データを記録媒体に記録する撮像手段と、前記記録媒体に記録された画像データを再生して画像表示する画像再生手段を有するカメラ装置において、前記画像再生手段により再生した画像データの一部の領域を指定する領域指定手段と、前記画像データと、その画像データにおいて指定された前記領域を特定する領域データと、を関連付けて記録媒体に記録する領域記録手段と、を有することを特徴とするカメラ装置である。
また、請求項６記載の発明は、前記領域記録手段は、ある画像データにおいて指定された前記領域を特定する領域データを、複数領域関連付けて前記記録媒体に記録可能であることを特徴とする請求項１に記載のカメラ装置である。
また、請求項７記載の発明は、前記撮像手段による画像データ、又は前記領域記録手段による領域データを記録した際に、この記録データを再生する順番を更に関連付けて記録する再生順番記録手段を有し、前記画像再生手段は、この画像再生手段に応じて画像を再生することを特徴とする請求項５乃至６の何れか１項に記載の画像記録再生装置である。
また、請求項８記載の発明は、画像データを記録媒体に記録し、前記記録媒体に記録された画像データを再生して画像表示する画像記録再生装置において、再生した画像データの一部の領域を指定する領域指定工程と、前記画像データと、その画像データにおいて指定された前記領域を特定する領域データと、を関連付けて記録媒体に記録する領域記録工程と、を有することを特徴とする画像記録再生方法である。
また、請求項９記載の発明は、画像データを記録媒体に記録し、前記記録媒体に記録された画像データを再生して画像表示する画像記録再生装置において、再生した画像データの一部の領域を指定する領域指定機能と、前記画像データと、その画像データにおいて指定された前記領域を特定する領域データと、を関連付けて記録媒体に記録する領域記録機能と、を有することを特徴とする画像記録再生プログラムである。
【手続補正６】
【補正対象書類名】明細書
【補正対象項目名】０００８
【補正方法】変更
【補正の内容】
【０００８】
以上説明したように本発明によれば、必要な部分の画像を切取って記録媒体に保存するのではなく、必要な部分を指定して、その領域データを保存することができるので、大きな記録容量を必要とする画像を記憶せずに参照情報だけを記憶すれば良く、また、再生表示の際に画像の必要な部分をその都度拡大表示する必要がなくなる。